(57)【要約】【課題】  観察光学系での撮像をしないときには別光学系での撮像ができる単眼鏡装置および双眼鏡置を提供する。【解決手段】  一対の観察光学系と別光学系を備えている。また、別光学系用のファインダーが設置されている。撮像装置が観察光学系と別光学系の結像面位置にレンズ切り替えレバーにより切り替え挿入される。スイッチレバーにより撮像装置のスイッチがオンオフされる。観察光学系での観察モードの場合には、撮像装置は別光学系の結像面位置にある。観察光学系撮影モードの場合は、観察光学系の結像面位置に撮像装置が挿入され、撮像装置のスイッチがオンで撮影が可能となる。別光学系での撮影では、撮像装置が別光学系の結像面位置に挿入され、撮像装置のスイッチがオン状態で撮影が可能になる。【選択図】  図１
2005189782.tif 000002
【特許請求の範囲】
【請求項１】
対物光学系と接眼光学系とを備えて構成される観察光学系と、
前記観察光学系とは独立して配置され、被写体像を結像する別光学系と、
撮像装置と、
前記撮像装置を移動させて前記観察光学系の第一結像面位置か、または前記別光学系の結像面位置に挿入する撮像用光学系切り替え手段とを備え、
前記観察光学系で観察する場合は、前記撮像装置を前記別光学系の結像面位置にもたらしておき、前記別光学系での撮像を可能とし、
前記観察光学系で撮像する場合は、前記撮像装置を前記観察光学系の第一結像面にもたらすことを特徴とする単眼鏡装置。
【請求項２】
対物光学系と接眼光学系とをそれぞれ備えて構成される一対の観察光学系と、
前記一対の観察光学系とは独立して配置され、被写体像を結像する別光学系と、
撮像装置と、
前記撮像装置を移動させて前記一対の観察光学系のうち一方の観察光学系の第一結像面位置か、または前記別光学系の結像面位置に挿入する撮像用光学系切り替え手段とを備え、
前記観察光学系で観察する場合は、前記撮像装置を前記別光学系の結像面位置にもたらしておき、前記別光学系での撮像を可能とし、
前記観察光学系で撮像する場合は、前記撮像装置を前記一対の観察光学系のうち一方の観察光学系の第一結像面にもたらすことを特徴とする双眼鏡装置。
【請求項３】
前記別光学系のためのファインダーを前記一対の観察光学系の間に配置したことを特徴とする請求項２記載の双眼鏡装置。
【請求項４】
前記別光学系とファインダーの対物レンズを覆う着脱可能なカバーを有することを特徴とする請求項３記載の双眼鏡装置。
【請求項５】
前記撮像用光学系切り替え手段は、前記ファインダーの接眼レンズを覆うカバーを有し、前記一対の観察光学系のうち一方の観察光学系の第一結像面位置に前記撮像装置がもたらされているときは前記接眼レンズを覆うように構成し、
前記ファインダーの接眼レンズを覆うカバーを有するスイツチ操作手段備え、該スイッチ操作手段の移動に連動して前記撮像装置のスイッチをオンオフするように構成し、
前記観察光学系を観察モードから観察光学系撮影モードにする場合は、前記撮像用光学系切り替え手段を観察光学系撮影モード側に移動させることにより該撮像用光学系切り替え手段のカバーによって前記ファインダーの接眼レンズを覆い、前記観察光学系撮影モード側への移動の際、前記スイッチ操作手段のカバーが前記ファインダーの接眼レンズを既に覆っていたときは、前記撮像用光学系切り替え手段のカバーに前記スイッチ操作手段のカバーを連動させることにより前記撮像装置のスイッチをオンして撮影可能にし、
前記観察光学系を撮影モードから観察モードに戻す場合は、前記撮像用光学系切り替え手段を観察光学系観察モード側に移動させるか、または前記スイッチ操作手段を前記撮像装置のスイッチオフ側に移動させることにより、前記撮像装置を前記別光学系の結像面に退避させ、
前記別光学系で撮影する場合は、撮像用光学系切り替え手段またはスイッチ手段のカバーを前記ファインダーの接眼レンズから退避させるように移動させることにより撮影可能にしたことを特徴とする請求項３または４記載の双眼鏡装置
【発明の詳細な説明】
【技術分野】
【０００１】  本発明は、望遠鏡装置に関し、更に詳しくは、観察光学系でとらえた観察光を撮像することができる単眼鏡装置および双眼鏡装置に関する。
【背景技術】
【０００２】  遠方の風景や建物等の観察対象物を観察しているときに、観察対象物を画像として記録しておきたいという場合がある。このような要求を満たすものとして、例えば、特許文献１，２および３に双眼鏡装置撮像記録手段を付加したものが開示されている。【０００３】  この撮像記録手段を備えた単眼鏡装置は、単眼鏡装置の観察光学系の第一結像面位置に置ける観察光を撮像素子により捕らえ、この撮像素子により捕らえられた画像を画像記録手段に記録するようにしたものである。
【特許文献１】  特開平１１−６４７４０号公報
【特許文献２】  特開平１１−１１２８５１号公報
【特許文献３】  特願２００１−３５２５０６号公報
【発明の開示】
【発明が解決しようとする課題】
【０００４】  しかし、この従来例の方法では通常、カメラで云うところの望遠撮影になってしまい、広角撮影のカメラを別に携帯せざるを得なかった。
本発明は、上記問題点に鑑みなされたもので、観察光学系での撮像をしないときには別光学系での撮像ができる単眼鏡装置および双眼鏡置を提供することを目的とする。
【課題を解決するための手段】
【０００５】  上記の目的を達成するために本発明の請求項１記載の単眼鏡装置は、対物光学系と接眼光学系とを備えて構成される観察光学系と、前記観察光学系とは独立して配置され、被写体像を結像する別光学系と、撮像装置と、前記撮像装置を移動させて前記観察光学系の第一結像面位置か、または前記別光学系の結像面位置に挿入する撮像用光学系切り替え手段とを備え、前記観察光学系で観察する場合は、前記撮像装置を前記別光学系の結像面位置にもたらしておき、前記別光学系での撮像を可能とし、前記観察光学系で撮像する場合は、前記撮像装置を前記観察光学系の第一結像面にもたらすことを特徴とする。
また、本発明の請求項２記載の双眼鏡装置は、請求項１の単眼鏡に対して、双眼鏡にしたことを特徴とする。すなわち、対物光学系と接眼光学系とをそれぞれ備えて構成される一対の観察光学系と、前記一対の観察光学系とは独立して配置され、被写体像を結像する別光学系と、撮像装置と、前記撮像装置を移動させて前記一対の観察光学系のうち一方の観察光学系の第一結像面位置か、または前記別光学系の結像面位置に挿入する撮像用光学系切り替え手段とを備え、前記観察光学系で観察する場合は、前記撮像装置を前記別光学系の結像面位置にもたらしておき、前記別光学系での撮像を可能とし、前記観察光学系で撮像する場合は、前記撮像装置を前記一対の観察光学系のうち一方の観察光学系の第一結像面にもたらすことを特徴とする。
さらに、本発明の請求項３記載の双眼鏡装置は、請求項２記載の発明において前記別光学系のためのファインダーを前記一対の観察光学系の間に配置したことを特徴とする。
さらには、本発明の請求項４記載の双眼鏡装置は、請求項３記載の発明において前記別光学系とファインダーの対物レンズを覆う着脱可能なカバーを有することを特徴とする。
また、本発明の請求項５の双眼鏡装置は、請求項３または４記載の発明において前記撮像用光学系切り替え手段は、前記ファインダーの接眼レンズを覆うカバーを有し、前記一対の観察光学系のうち一方の観察光学系の第一結像面位置に前記撮像装置がもたらされているときは前記接眼レンズを覆うように構成し、前記ファインダーの接眼レンズを覆うカバーを有するスイッチ操作手段備え、該スイッチ操作手段の移動に連動して前記撮像装置のスイッチをオンオフするように構成し、前記観察光学系を観察モードから観察光学系撮影モードにする場合は、前記撮像用光学系切り替え手段を観察光学系撮影モード側に移動させることにより該撮像用光学系切り替え手段のカバーによって前記ファインダーの接眼レンズを覆い、前記観察光学系撮影モード側への移動の際、前記スイッチ操作手段のカバーが前記ファインダーの接眼レンズを既に覆っていたときは、前記撮像用光学系切り替え手段のカバーに前記スイッチ操作手段のカバーを連動させることにより前記撮像装置のスイッチをオンして撮影可能にし、前記観察光学系を撮影モードから観察モードに戻す場合は、前記撮像用光学系切り替え手段を観察光学系観察モード側に移動させるか、または前記スイッチ操作手段を前記撮像装置のスイッチオフ側に移動させることにより、前記撮像装置を前記別光学系の結像面に退避させ、前記別光学系で撮影する場合は、撮像用光学系切り替え手段またはスイッチ手段のカバーを前記ファインダーの接眼レンズから退避させるように移動させることにより撮影可能にしたことを特徴とする。
【発明の効果】
【０００６】  上記構成によれば、本発明の請求項１は、対象物を観察するときは観察光学系を覗くことで行うとともに、観察対象物をそのまま撮像したいときは観察光路内に撮像素子を挿入し、別の画角で撮影したいときは別の光学系の光路内に撮像素子を移動させることで別のカメラを持って行かなくても複数の画角の撮像をすることができる。
また、本発明の請求項２は、請求項１の発明に対し第二の観察光学系を付加したもので同じく別のカメラを持って行かなくても複数の画角で撮影が可能となる。【０００７】  さらに本発明の請求項３は、請求項２の双眼鏡において複数の観察光学系の間にファインダーを配置したことにより従来より大きくすることなく、また、パララックスのない別光学系用ファインダーつきの双眼鏡を構成することができる。
また、本発明の請求項４は、請求項３の双眼鏡において別光学系とファインダーの対物レンズ側にカバーを付けることにより、ゴミや指紋等が付着することを防止することができる。【０００８】  さらには本発明の請求項５は、請求項３または４の双眼鏡において観察状態から撮影したいときは撮像用光学系切り替え手段を観察光学系撮影モード側にするだけでカメラスイッチが入り撮影できるとともに、スイッチ操作手段を観察モード側にするだけで撮像装置を観察光学系の光路外に移動させることが可能になり観察することができる。また、観察モードから別光学系で撮影するときはスイッチ操作手段をスイッチオン側にするだけで撮影できるようになる。
別光学系で撮像しないときには接眼レンズ側がカバーで覆われているためゴミや汚れを排除をするとともに別光学系で撮像できないときには間違えて覗かないようにすることができる。
【発明を実施するための最良の形態】
【０００９】  以下、図面を参照して本発明の実施の形態を詳しく説明する。
説明において第二の観察系を除けば単眼鏡になるので双眼鏡を用いて説明する。
図１は、本発明による双眼鏡装置の一実施の形態の要部構成を示す水平断面図で、観察状態と別光学系撮影時の状態を示している。図２は、同じく水平断面図で、観察光学系撮影時の状態を示している。
図１，図２において、１１は第一観察系の対物レンズ、１２は第一観察系の接眼レンズ、１３は第一観察系の正立プリズムＡ、１４は第一観察系の正立プリズムＢであり、対物レンズ１１で結像された像２７を第一観察系の接眼レンズ１２で拡大して観察することができる。１５は第二観察系の対物レンズ、１６は第二観察系の接眼レンズ、１７は第二観察系の正立プリズムＡ、１８は第二観察系の正立プリズムＢであり、対物レンズ１５で結像された像２９を第二観察系の接眼レンズ１６で拡大して観察することができる。
３１は光学系を保持する筐体である。２０は対物レンズ枠で対物レンズ１１を接着剤等により固定し筐体３１に保持される。２１は接眼レンズ枠で接眼レンズ１２を接着剤等により固定し筐体３１に保持される。４１は撮像素子（撮像装置）で撮像素子基板４３上にハンダ等で固定されている。撮像素子基板４３は撮像素子枠４２にねじ等で固定されている。２２は別光学系のレンズである。３２は全体を覆うカバーで筐体３１にネジ等で固定されている。【００１０】  図３は、図１のＡ−Ａ位置の断面図、図４は、図１のＢ−Ｂ位置の断而図、図５は、図１のカバーの上からの透視図である。
図３、図４及び図５において、４４と４５は撮像素子１１を搭載する撮像素子枠４２を案内するためのガイド軸で、筐体３１の穴３１ａ，３１ｂと３１ｃ，３１ｄにそれぞれ接着剤等で固定されている。撮像素子枠４２の穴４２ａ，４２ｂと４２ｃはガイド軸４４と４５にそれぞれ嵌合していて撮像素子枠４２を左右に移動可能に支持している。すなわち撮像素子枠４２は第一観察系の第一結像面位置と別光学系の結像面との間を移動可能である。３２は全体を覆う筐体カバーで、ねじ等で筐体３１に固定されている。３７はレンズ切り替えレバーで、筐体カバー３２のリブ等で左右方向にのみ移動可能になっている。また、その一端３７ａで撮像素子枠４２の一端４２ｄと連動して第一観察光学系の対物レンズ１１での撮像位置と別光学系のレンズ２２での撮像位置に切り替える。
撮像用光学系切り替え手段は、上記レンズ切り替えレバー３７，筐体カバー３２のリブ，ガイド軸４４，４５，撮像素子枠４２などにより構成される。【００１１】  ４８はレンズ切り替えレバー３７にねじ等で固定された電気接片で、電気回路基板４６のパターンに接している。この電気接片４８と電気回路基板４６のパターンでレンズ切り替えスイッチが構成される。電気回路基板４６はねじ等で本体３１に固定されている。３６はカメラスイッチレバーで、筐体カバー３２のリブ等で左右方向にのみ移動可能になっていて撮像モード（撮影モード）と観察モードを切り替えることができる。
スイッチ操作手段はカメラスイッチレバー３６，筐体カバー３２のリブなどにより構成される。
４６はカメラスイッチレバー３６にねじ等で固定された電気切片で、電気回路基板４５上のパターンに接している。この電気接片４７と電気回路基板４６上のパターンでカメラ（撮像素子）を起動するカメラスイッチが構成される。カメラスイッチレバー３６を図４において右方向にスライドさせると、オフ状態のスイッチがオン状態に移行する。【００１２】  ３８はオームバネＡで、その一端は筐体カバー３２のボス３２ｅに係止されるとともに他端はレンズ切り替えレバー３７のボス３７ｂに係止されている。図５においてレンズ切り替えレバー３７が左右に移動する中間位置で、レンズ切り替えレバー３７に与える移動習性の方向が変化する。上記中間位置より右側に移動させたときにはレンズ切り替えレバー３７を観察光学系撮像モード位置方向に、左側に移動させたときには別光学系撮像モード位置方向に移動習性を与えられ、撮像素子４１は各モード位置に止められる。
３９はオームバネＢで、オームバネＡと同様、その一端は筐体力バー３２のボスボス３２ｆに係止されるとともに他端はカメラスイッチレバー３６のボス３６ａに係止されている。図５においてカメラスイッチレバー３６が左右に移動する中間位置で、カメラスイッチレバー３６に与える移動習性の方向が変化する。上記中間位置より右側に移動させたときにはカメラスイッチレバー３６を撮像モード位置方向に、左側に移動させたときには観察モード位置の方向に移動習性が与えられ、カメラスイッチはオンオフ位置に止められる。【００１３】  図６は、図１のＣ−Ｃ位置の断面図，図７は、図１のＤＡＤ位置の断面図，図８は、図１のＥ−Ｅ位置の断面図である。
図６において、４９はレリーズスイッチで、電気回路基板４６にハンダ等で固定されている。３５はレリーズボタンで、筐体カバー３２の穴３２ａに上下移動可能に保持されている。【００１４】  図７において、２３は別光学系レンズ枠で、別光学系のレンズ２２を接着剤等により固定している。別光学系レンズ枠２３はねじ等で筐体３１に固定されている。２４はミラーで、筐体３１に接着剤等で固定されている。ミラー２４は別光学系レンズの光軸を観察光学系に対し略９０度下方向に変更するもので、別光学系レンズで撮影する場合には観察光学系を用いる場合に比較し筐体３１の姿勢を略９０度上向きにすることとなる。【００１５】  図８において、２６は別光学系のファインダー光学系の対物レンズで、別光学系のファインダー光学系の接眼レンズ２５とともに接着剤等で筐体３１に固定されている。３３はファインダーカバーで、筐体３１に両端を固定されたファインダーカバー軸３４により回転自由に軸支されている。なお、別光学系の被写体像取り入れ側もこのファインダカバー３３により蓋をすることができる。【００１６】  次に、上記実施の形態の動作について説明する。
通常の観察モードではカメラスイッチレバー３６が左側にあり３６ｂ部がファインダー接眼窓３２ｂを覆っている。また、レンズ切り替えレバー３７は別光学系側になっている。第一観察系の対物レンズ１１を通った光は正立プリズムａ、ｂを通ってピント面２７に像を結ぶ。この像を接眼レンズ１２で拡大してみることとなる（図５の状態）。
カメラスイッチレバー３６を右方向に移動して撮像モードにすると、３６ａ部は右に移動しファインダー接眼窓３２ｂが開き覗けるようになる。このとき撮像素子４１は別光学系のピント位置２８に有り、この状態でレリーズボタン３５を押すと、レリーズスイッチ４９が入り図示しない画像記憶回路により撮像され図示しないメモリーに記録される。
この状態でレンズ切り替えレバー３７を観察光学系撮像モード側（右方向）に移動させると、撮像素子４１が第一観察系のピント面Ａ２７に移動する。この状態でレリーズボタン３５を押すと、レリーズスイッチ４９が入り図示しない画像記憶回路により撮像され図示しないメモリーに記録される。このときレンズ切り替えレバーの３７ａ部がファインダー接眼窓３２ｂを覆っているため覗くことはできず、間違えて撮影することはない。【００１７】  観察光学系撮像モードの状態からレンズ切り替えレバー３７を別光学系側（左方向）に移動させると、レンズ切り替えレバーの３７ａ部がファインダー接眼窓３２ｂから離れ覗くことができるようになるとともに撮像素子４１が別光学系側に移動し別光学系で撮像が可能になる。【００１８】  観察光学系側撮像モードからカメラスイッチレバー３６を観察モード側（左方向）に移動させると、カメラスイッチレバー３６の３６ｂ部がレンズ切り替えレバー３７の端部３７ｃ部を押し、レンズ切り替えスイッチ３７はオームバネＡ３８により別光学系位置に移動し撮像素子４１を観察光学系の結像位置から別光学系の結像位置に移動する（図５の状態）。【００１９】  カメラスイッチレバー３６が観察モード位置でレンズ切り替えスイッチ３７が別光学系撮像モード位置の時（図５の状態）、レンズ切り替えスイッチ３７を観察光学系撮像モード側（右方向）に移動させると、レンズ切り替えスイッチ３７の端部３７ｃ部がカメラスイッチレバー３６ｂ部を押し、カメラスイッチレバー３６はオームバネＢ３９により撮影モード位置に移動する。これにより観察光学系撮影モードになる。【００２０】  本発明の実施の形態では別光学系を広角レンズとしてミラーを用いて光路系を構成したが、プリズムを用いても良い。また、別光学系の光学軸はを観察光学系に対し直角方向に配置した例を説明したが、観察光学系の光軸と平行になるように配置しても良い。
また、第一観察光学系と第二観察光学系の間の間隔を変える機構を有するが、この部分の構成およびその説明は省略した。ピント合わせの機構も有するが、これらの機構は従来のピント合わせ機構によって簡単に構成することできる。
【産業上の利用可能性】
【００２１】  画角が異なる２つの撮影光学系を実現できる、観察が主体の単眼鏡装置または双眼鏡装置である。
【図面の簡単な説明】
【００２２】
【図１】  本発明による双眼鏡装置の一実施の形態の要部構成を示す水平断面図で、観察状態と別光学系撮影時の状態を示している。
【図２】  本発明による双眼鏡装置の一実施の形態の要部構成を示す水平断面図で、観察光学系撮影時の状態を示している。
【図３】  図１のＡ−Ａ位置の断面図である。
【図４】  図１のＢ−Ｂ位置の断面図である。
【図５】  図１のカバーの上からの透視図である。
【図６】  図１のＣ−Ｃ位置の断面図である。
【図７】  図１のＤ−Ｄ位置の断面図である。
【図８】  図１のＥ−Ｅ位置の断面図である。
【符号の説明】
【００２３】  １１  第一観察系の対物レンズ
１２  第一観察系の接眼レンズ
１３  第一観察系の正立プリズムＡ
１４  第一観察系の正立プリズムＢ
１５  第二観察系の対物レンズ
１６  第二観察系の接眼レンズ
１７  第二観察系の正立プリズムＡ
１８  第二観察系の正立プリズムＢ
２０  対物レンズ枠
２１  接眼レンズ枠
２２  別光学系レンズ
２３  別光学系レンズ枠
２４  ミラー
２５  別光学系ファインダー接眼レンズ
２６  別光学系ファインダー対物レンズ
２７  第一観察光学系の結像位置
２８  別光学系の結像位置
２９  第二観察光学系の結像位置
３１  筐体
３２  筐体カバー
３３  ファインダーカバー
３４  ファインダーカバー軸
３５  レリーズボタン
３６  カメラスイッチレバー
３７  レンズ切り替えレバー
３８  オームバネＡ
３９  オームバネＢ
４１  撮像素子
４２  撮像素子枠
４３  撮像素子基板
４４  ガイド軸Ａ
４５  ガイド軸Ｂ
４６  電気回路基板
４７，４８  電気接片
４９  レリーズスイッチ
【図１】
2005189782.tif 000003
【図２】
2005189782.tif 000004
【図３】
2005189782.tif 000005
【図４】
2005189782.tif 000006
【図５】
2005189782.tif 000007
【図６】
2005189782.tif 000008
【図７】
2005189782.tif 000009
【図８】
2005189782.tif 000010